【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
音声コンテンツを時間軸上において一定量以上の音声データが含まれている第１のブロックとそれ以外の第２のブロックに分割して記憶するコンテンツ記憶部と、
前記音声コンテンツの少なくとも１つのブロックに再生条件を設定する再生条件設定手段と、
前記設定された再生条件にしたがって前記音声コンテンツの全ブロックを最初から最後まで順に繰り返して再生する繰り返し再生手段と、
を具備し、
前記再生条件設定手段は、前記音声コンテンツを再生する際の再生スピードを前記第２のブロックに設定する
ことを特徴とするコンテンツ再生装置。
【請求項２】
前記再生条件設定手段は、前記音声コンテンツを再生する際の再生スピード、音量、または音高のうち少なくとも１つを前記第１のブロックに設定することを特徴とする請求項１に記載のコンテンツ再生装置。
【請求項３】
前記再生条件設定手段は、前記音声コンテンツの繰り返し毎に前記再生条件が漸進的に変化するように設定を行うことを特徴とする請求項１または請求項２に記載のコンテンツ再生装置。
【請求項４】
音声コンテンツを記憶するコンテンツ記憶部と、
前記音声コンテンツにおける時間軸上の分割箇所を指定し、前記音声コンテンツを一定量以上の音声データが含まれている第１のブロックとそれ以外の第２のブロックに分割する分割手段と、
前記音声コンテンツの少なくとも１つのブロックに再生条件を設定する再生条件設定手段と、
前記設定された再生条件にしたがって前記音声コンテンツの全ブロックを最初から最後まで順に繰り返して再生する繰り返し再生手段と、
を具備し、
前記再生条件設定手段は、前記音声コンテンツを再生する際の再生スピードを前記第２のブロックに設定する
ことを特徴とするコンテンツ再生装置。
【請求項５】
時間軸上に一定量以上の音声データが含まれている第１のブロックとそれ以外の第２のブロックに分割して記憶された音声コンテンツの少なくとも１つのブロックに再生条件を設定する再生条件設定ステップと、
前記設定された再生条件にしたがって前記音声コンテンツの全ブロックを最初から最後まで順に繰り返して再生する再生ステップと、有し、
前記再生条件設定ステップは、前記音声コンテンツを再生する際の再生スピードを前記第２のブロックに設定する
ことを特徴とするコンテンツ再生方法。
【請求項６】
コンピュータに、
時間軸上に一定量以上の音声データが含まれている第１のブロックとそれ以外の第２のブロックに分割して音声コンテンツを記憶している記憶部から該音声コンテンツを読み出すステップと、
前記読み出された音声コンテンツの少なくとも１つのブロックに再生条件を設定する再生条件設定ステップと、
前記設定された再生条件にしたがって前記音声コンテンツの全ブロックを最初から最後まで順に繰り返して再生する再生ステップと、
を実行させるためのコンテンツ再生プログラムであって、
前記再生条件設定ステップは、前記音声コンテンツを再生する際の再生スピードを前記第２のブロックに設定する
ことを特徴とするコンテンツ再生プログラム。
【手続補正２】
【補正対象書類名】明細書
【補正対象項目名】０００８
【補正方法】変更
【補正の内容】
【０００８】
本発明は上述の課題を解決するためになされたものであり、本発明は、音声コンテンツを時間軸上において複数のブロックに分割して記憶するコンテンツ記憶部と、前記音声コンテンツの少なくとも１つのブロックに再生条件を設定する再生条件設定手段と、前記設定された再生条件にしたがって前記音声コンテンツの全ブロックを最初から最後まで順に繰り返して再生する繰り返し再生手段と、を具備することを特徴とするコンテンツ再生装置である。
【手続補正３】
【補正対象書類名】明細書
【補正対象項目名】０００９
【補正方法】変更
【補正の内容】
【０００９】
また、本発明は、上記のコンテンツ再生装置において、前記再生条件は、前記音声コンテンツを再生する際の再生スピード、音量、または音高のうち少なくとも１つであることを特徴とする。
【手続補正４】
【補正対象書類名】明細書
【補正対象項目名】００１０
【補正方法】変更
【補正の内容】
【００１０】
また、本発明は、上記のコンテンツ再生装置において、前記再生条件設定手段は、前記音声コンテンツの繰り返し毎に前記再生条件が漸進的に変化するように設定を行うことを特徴とする。
【手続補正５】
【補正対象書類名】明細書
【補正対象項目名】００１１
【補正方法】変更
【補正の内容】
【００１１】
また、本発明は、上記のいずれかのコンテンツ再生装置において、前記音声コンテンツは、一定量以上の音声データが含まれている第１のブロックとそれ以外の第２のブロックに分割されて前記コンテンツ記憶部に記憶されており、前記再生条件設定手段は、前記第２のブロックの再生スピードの設定を行うことを特徴とする。
【手続補正６】
【補正対象書類名】明細書
【補正対象項目名】００１２
【補正方法】変更
【補正の内容】
【００１２】
また、本発明は、音声コンテンツを記憶するコンテンツ記憶部と、前記音声コンテンツにおける時間軸上の分割箇所を指定し、前記音声コンテンツを複数のブロックに分割する分割手段と、前記音声コンテンツの少なくとも１つのブロックに再生条件を設定する再生条件設定手段と、前記設定された再生条件にしたがって前記音声コンテンツの全ブロックを最初から最後まで順に繰り返して再生する繰り返し再生手段と、を具備することを特徴とするコンテンツ再生装置である。
【手続補正７】
【補正対象書類名】明細書
【補正対象項目名】００１３
【補正方法】変更
【補正の内容】
【００１３】
また、本発明は、時間軸上に複数のブロックに分割して記憶された音声コンテンツの少なくとも１つのブロックに再生条件を設定するステップと、前記設定された再生条件にしたがって前記音声コンテンツの全ブロックを最初から最後まで順に繰り返して再生するステップと、からなることを特徴とするコンテンツ再生方法である。
【手続補正８】
【補正対象書類名】明細書
【補正対象項目名】００１４
【補正方法】変更
【補正の内容】
【００１４】
また、本発明は、コンピュータに、時間軸上に複数のブロックに分割して音声コンテンツを記憶している記憶部から該音声コンテンツを読み出すステップと、前記読み出された音声コンテンツの少なくとも１つのブロックに再生条件を設定するステップと、前記設定された再生条件にしたがって前記音声コンテンツの全ブロックを最初から最後まで順に繰り返して再生するステップと、を実行させるためのコンテンツ再生プログラムである。
【手続補正９】
【補正対象書類名】明細書
【補正対象項目名】００１６
【補正方法】変更
【補正の内容】
【００１６】
また、本発明によれば、再生スピード、音量、および音高が各ブロックに設定されるので、これらの再生条件を自由に変化させた繰り返し再生を行うことができる。
【手続補正１０】
【補正対象書類名】明細書
【補正対象項目名】００１７
【補正方法】変更
【補正の内容】
【００１７】
また、本発明によれば、繰り返しの回数とともに再生条件が徐々に変化していくので、アラーム音や警報音のような音声コンテンツを効果的に再生することが可能である。
【手続補正１１】
【補正対象書類名】明細書
【補正対象項目名】００１８
【補正方法】変更
【補正の内容】
【００１８】
また、本発明によれば、無音区間（第２のブロック）の再生スピードを変化させて再生を行うので、意味のある音声情報を有する区間（第１のブロック）の再生音を変化させることなく音声コンテンツ全体の再生スピードを調節することができる。
【手続補正１２】
【補正対象書類名】明細書
【補正対象項目名】００１９
【補正方法】変更
【補正の内容】
【００１９】
また、本発明によれば、ブロックの分割箇所を指定することができるので、様々な表現による繰り返し再生を行うことが可能である。